(57)【特許請求の範囲】
【請求項１】
無線データ送受信手段と、鍵を不揮発性の記憶手段に格納する鍵記憶手段と、鍵を使用してデータの暗号化復号化を行う暗号化手段とを具備する無線伝送装置において、
鍵生成手段と、
鍵設定モード起動手段と、
親／子指定手段と、
無線伝送装置と端末装置との間でデータ伝送を行うための有線データ送受信手段と、
前記有線データ送受信手段を使用して鍵を他の無線伝送装置に転送する鍵転送手段と、
前記有線データ送受信手段を使用して鍵を受信する鍵受信手段と、
前記鍵設定モード起動手段によって鍵設定モードが起動された場合に、前記親／子指定手段により親局に指定されている場合には、前記鍵生成手段によって鍵を生成し、前記鍵記憶手段によって鍵を不揮発性の記憶手段に格納すると共に、前記鍵転送手段によって鍵を他の無線伝送装置に転送し、前記親／子指定手段により子局に指定されている場合には、前記鍵受信手段によって鍵を受信し、前記鍵記憶手段によって鍵を不揮発性の記憶手段に格納する鍵設定制御手段と
を備え、
更に、前記親／子指定手段により親局に指定されている場合に、前記不揮発性の記憶手段に格納されている鍵を前記鍵転送手段によって他の無線伝送装置に転送する鍵コピー手段
を備えたことを特徴とする無線伝送装置。
【請求項２】
更に、子局に指定されていた無線伝送装置が親局に指定された場合には、前記不揮発性の記憶手段に格納されている鍵を消去する鍵消去手段を備えたことを特徴とする請求項１に記載の無線伝送装置。
【発明の詳細な説明】
【０００１】
【発明の属する技術分野】
本発明は無線伝送装置に関し、特にビル内の無線ＬＡＮやビル間のデータ伝送などにおいて使用される無線伝送装置における暗号鍵の設定方法に関するものである。
【０００２】
【従来の技術】
従来、ビル内の無線ＬＡＮやビル間のデータ伝送などにおいて使用されるデータの無線伝送装置において、伝送データの暗号化を行う場合には、暗号化に使用する秘密の共通鍵データを各無線伝送装置に設定する必要があった。図５は、従来の無線伝送装置における共通鍵設定方法を示すブロック図である。例えば無線伝送装置１０に共通鍵を設定する場合には、端末１３を無線伝送装置１０が接続されているＬＡＮに接続し、例えば使用者が決定した共通鍵情報を該端末１３から無線伝送装置１０へ転送していた。複数の無線伝送装置１０〜１２に鍵を設定するためにはそれぞれの無線伝送装置が接続されているＬＡＮに端末１３を接続してそれぞれ鍵の設定操作を行っていた。
【０００３】
【発明が解決しようとする課題】
上記したような、従来の無線伝送装置においては、通常の端末から鍵の設定が可能であり、かつ何度でも設定し直すことができたので、例えば無線伝送装置１１と無線伝送装置１２とが暗号化通信を行っている場合に、近傍にある無線伝送装置１０に同じ共通鍵を設定すると、相手装置に何らアクセスすることなく、通信を盗聴できてしまうという問題点があった。また、鍵が不明な場合でも、鍵データを順に繰り返し設定することによって鍵が解読される恐れがあるという問題点もあった。
本発明の目的は、前記のような従来技術の問題点を解決し、鍵情報の機密保持性が向上する無線伝送装置を提供することにある。
【０００４】
【課題を解決するための手段】
本発明は、無線データ送受信手段と、鍵を不揮発性の記憶手段に格納する鍵記憶手段と、鍵を使用してデータの暗号化復号化を行う暗号化手段とを具備する無線伝送装置において、鍵生成手段と、鍵設定モード起動手段と、親／子指定手段と、有線データ送受信手段と、前記有線データ送受信手段を使用して鍵を他の無線伝送装置に転送する鍵転送手段と、前記有線データ送受信手段を使用して鍵を受信する鍵受信手段と、前記鍵設定モード起動手段によって鍵設定モードが起動された場合に、前記親／子指定手段により親局に指定されている場合には、前記鍵生成手段によって鍵を生成し、前記鍵記憶手段によって鍵を不揮発性の記憶手段に格納すると共に、前記鍵転送手段によって鍵を他の無線伝送装置に転送し、前記親／子指定手段により子局に指定されている場合には、前記鍵受信手段によって鍵を受信し、前記鍵記憶手段によって鍵を不揮発性の記憶手段に格納する鍵設定制御手段とを備えたことを特徴とする。
【０００５】
本発明によれば、共通鍵を設定する場合には設定すべき装置をＬＡＮ等によって有線接続する必要があるので、職場等に設置した後に例えば盗聴しようとする者が共通鍵設定処理を実行することが困難となる。また、設定される共通鍵情報は親局に指定された無線伝送装置が自動的に生成し、子局へ転送するので、例えばシステムのセッティングを行う業者でさえも鍵情報を知ることができず、機密性が向上する。子局を増設する場合などには全ての無線伝送装置において共通鍵設定処理をやり直し、新たな鍵情報が設定されるので、使用者が鍵の解読を試みることも困難であり、鍵が解読される恐れが減少する。
【０００６】
【発明の実施の形態】
以下、本発明の実施の形態を詳細に説明する。図１は、本発明を適用した無線伝送装置を含む通信システムの構成を示すブロック図である。図１の例においては３つの無線伝送装置２０〜２２が無線伝送路によって接続されている。各無線伝送装置２０〜２２はそれぞれＬＡＮに接続されており、各ＬＡＮには図示しない複数の端末やサーバが接続されている。
各無線伝送装置２０〜２２には暗号化を行うために、例えば６４ビットのランダムなデータである共通鍵情報２３が格納されており、各無線伝送装置２０〜２２はこの鍵情報を使用して伝送情報を暗号化し、また受信した暗号化データを復号化する。
【０００７】
図２は、本発明の共通鍵設定処理を実行するためのシステム構成を示すブロック図である。本発明の共通鍵設定処理は、例えばシステムを構築する業者が各無線伝送装置を使用場所に設置する前に、各無線伝送装置２０〜２２を１カ所に集めて実施するのが好適であるが、設置場所に配置した後に実施することも可能である。
各無線伝送装置２０〜２２には予め、例えば１００ＢＡＳＥ−ＴＸ等のハブ（ＨＡＢ）を使用するＬＡＮ接続用のポートが装備されている。この実施例の共通鍵設定処理においてはこのＬＡＮポートを使用する。各無線伝送装置２０〜２２のＬＡＮポートをＬＡＮケーブルによってハブ２５に接続する。そして、各無線伝送装置２０〜２２の内の親局に指定された無線伝送装置（例えば２０）は内部のプログラムによってランダムな共通鍵情報を生成し、自局に格納すると共に、ハブ２５を介して他の子局に指定された無線伝送装置２１、２２に共通鍵情報を転送する。鍵を転送するフォーマットは予め指定されたユニークなものである。子局においては受信した鍵を自局に格納し、処理を終了する。
【０００８】
図３は、本発明の無線伝送装置の構成を示すブロック図である。無線伝送装置は例えばバス型のＬＡＮを介して図示しない複数の端末と接続されている。ＬＡＮインターフェイス回路３７は、周知のバス型ＬＡＮとの信号のインターフェイス機能を有し、ＣＰＵ３３の制御に基づき他のＬＡＮ宛のＬＡＮパケットを受信してＲＡＭ３５内の送信バッファに格納する。また、受信／復号され、ＲＡＭ３５内の受信バッファに蓄積されている自ＬＡＮ宛のＬＡＮパケットをＬＡＮに送信する。
【０００９】
ＣＰＵ３３はＲＯＭ３４に格納されたプログラムに基づき無線伝送装置全体を制御する。即ち、送信バッファ内のＬＡＮパケットを、共通鍵情報に基づいて暗号化し、伝送用に符号化してインターフェイス回路３２を介して出力する。また、受信データを伝送符号を復号化し、更に暗号の復号化を行って、ＬＡＮパケットを再生してＲＡＭ３５内の受信バッファに格納する。受信データに誤りが検出された場合には、ＣＰＵ３３は相手装置に対して再送要求パケットを送信し、再送要求パケットを受信した相手装置は保存してある送信パケットを再送する。
ＲＯＭ３４の少なくとも一部は例えばフラッシュメモリのような電気的に消去、書き込みが可能な構成となっており、この部分に共通鍵情報が書き込まれ、保存される。
【００１０】
送受信回路３１は送信回路および受信回路を内蔵し、送信回路は入力されたデータに基づきキャリアを変調し、所定の周波数帯域へ変換し、増幅して出力する。変調方式はＱＡＭなど任意であり、帯域も任意である。また、スペクトラム拡散方式を採用してもよい。送信信号はアンテナ３０から送信される。送受信回路２６〜２９の受信回路は、アンテナ３０から受信した信号を復調し、復号して出力する。なお、送信回路と受信回路とは例えば減衰器を介して接続されているが、送信電力が数ミリワット程度であり、かつ送信と受信を交互に行う半二重通信を行うのであれば問題はない。
【００１１】
パネル回路３６は例えばＤＩＰスイッチおよび発光ダイオードからなる簡単な入出力用のパネル回路であり、ＤＩＰスイッチの状態はＣＰＵ３３によって例えば周期的に読み取られ、また装置の状態が発光ダイオードに表示される。ＤＩＰスイッチの内の１つは、無線伝送装置の共通鍵設定モードを起動するために使用され、他の１つは無線伝送装置を親局として動作させるかあるいは子局として動作させるかを指定するために使用される。
【００１２】
図４は、本発明の無線伝送装置の共通鍵設定処理の内容を示すフローチャートである。この処理は例えばタイマによって周期的に起動される。Ｓ１０においては、前記した共通鍵設定モードを起動するためのＤＩＰスイッチがオンであるか否かが判定され、判定結果が肯定の場合にはＳ１１に移行する。Ｓ１１においては無線伝送装置を親局として動作させるかあるいは子局として動作させるかを指定するために使用されるＤＩＰスイッチの設定が親局になっているか否かが判定され、判定結果が肯定である場合にはＳ１２に移行するが、否定の場合にはＳ１５に移行する。
【００１３】
設定が親局の場合、Ｓ１２においては、例えば起動する度にランダムな値を発生する周知のプログラムを使用して例えば６４ビットのランダムな共通鍵情報を生成する。Ｓ１３においては、生成した鍵情報を前記した電気的書き込み可能な不揮発性ＲＯＭに書き込んで保存する。Ｓ１４においては、生成した鍵情報を所定のユニークなフォーマットでＬＡＮポートから送信する。
【００１４】
設定が子局の場合、Ｓ１５においては、ＬＡＮポートから鍵情報が格納されたユニークなフォーマットのＬＡＮパケットが受信されるまで待ち、Ｓ１６においては、受信した鍵情報を前記した書き込み可能な不揮発性ＲＯＭに書き込んで保存する。
Ｓ１７においては前記した共通鍵設定モードを起動するためのＤＩＰスイッチがオフになるまで待ち、処理を終了する。
【００１５】
次に、図２を参照して、共通鍵の設定方法について説明する。まず、共通鍵を設定すべき無線伝送装置２０〜２２全部のＬＡＮポートをハブ２５へ接続する。次に、無線伝送装置２０〜２２の内の１台のみについて、パネル回路３６内の無線伝送装置を親局として動作させるかあるいは子局として動作させるかを指定するためのＤＩＰスイッチを「親局」に設定する。そして、その他の無線伝送装置２１、２２の該ＤＩＰスイッチを「子局」に設定する。
【００１６】
次に、「子局」に設定した無線伝送装置２１、２２の共通鍵設定モードを起動するためのＤＩＰスイッチをオンにする。これで、「子局」の無線伝送装置は図４のＳ１５の待機状態となる。最後に、「親局」に設定した無線伝送装置２０の共通鍵設定モードを起動するためのＤＩＰスイッチをオンにする。この操作により、「親局」の無線伝送装置２０は図４のＳ１２〜１４の処理を実行して、共通鍵を生成し、保存すると共に子局へ転送し、子局においては、鍵情報を受信して格納する。
【００１７】
以上のような構成および動作によって、全ての無線伝送装置に、使用者のみならず管理者や保守者にも開示されることなく、秘密の共通鍵情報を設定することができる。
なお、本発明の共通鍵設定方法においては、全ての無線伝送装置において共通鍵設定モードを起動しないと、共通鍵の設定が行えない。従って、例えば親局に設定した無線伝送装置にのみ施錠等の管理を行うことにより、前記ＤＩＰスイッチへのアクセスを禁止すれば、子局の無線伝送装置については特に対策を施さなくても鍵の変更を防止することが可能である。
【００１８】
以上、本発明の実施例を開示したが、本発明には下記のような変形例も考えられる。実施例においては、通信に使用するＬＡＮポートを利用して共通鍵の設定を行う例を開示したが、共通鍵の設定処理用に専用の例えばＲＳ−２３２Ｃなどの有線接続ポートを設けてもよい。この場合、無線伝送装置が端末機能を有していれば、ＬＡＮポートは不要の場合もある。また、無線伝送装置は無線リンクを具備しているので、該無線リンクを共通鍵設定処理に使用してもよい。
【００１９】
前記したように、親局のみを管理すれば不正な設定は防止可能であるので、例えば親局に、図４のＳ１４のみを実行する共通鍵コピー機能を備えてもよい。この場合には、例えば増設する子局の無線伝送装置と親局の無線伝送装置とをハブで接続し、子局の共通鍵設定モードを起動しておいて、親局において前記した共通鍵コピー処理を起動する。すると、親局から子局に共通鍵が送信され、子局に共通鍵が格納される。以上の処理によって、無線伝送装置を増設する場合に全ての無線伝送装置をハブで接続する必要が無くなる。
【００２０】
なお、上記のようなコピー機能を設けた場合、子局のＤＩＰスイッチを変更して親局とし、コピー機能を使用して共通鍵を読み出すことも考えられる。従って、例えば共通鍵の格納エリアに現在の親／子設定情報も格納しておき、子局から親局に設定が変更された場合には、格納されている共通鍵を消去するなどの対策をとっておく。
【００２１】
【発明の効果】
以上述べたように、本発明においては、無線伝送装置において、鍵設定モード起動手段によって鍵設定モードが起動された場合に、親／子指定手段により親局に指定されている場合には、鍵生成手段によって鍵を自動的に生成し、鍵記憶手段によって鍵を不揮発性の記憶手段に格納すると共に、鍵転送手段によって鍵を他の無線伝送装置に転送し、子局に指定されている場合には、鍵受信手段によって鍵を受信し、鍵記憶手段によって鍵を不揮発性の記憶手段に格納するように構成したので、例えばシステムのセッティングを行う業者でさえも設定される鍵情報を知ることができず、機密性が向上するという効果がある。
【００２２】
また、本発明によれば、共通鍵を設定する場合には設定すべき無線伝送装置をＬＡＮ等によって有線接続する必要があるので、職場等に設置した後に例えば盗聴しようとする者が共通鍵設定処理を実行することが困難となるという効果もある。
更に、子局を増設する場合などには全ての無線伝送装置において共通鍵設定処理をやり直し、新たな鍵情報が設定されるので、使用者が鍵の解読を試みることも困難であり、鍵が解読される恐れが減少するという効果がある。
【図面の簡単な説明】
【図１】本発明を適用した無線伝送装置を含む通信システムの構成を示すブロック図である。
【図２】本発明の共通鍵設定処理を実行するためのシステム構成を示すブロック図である。
【図３】本発明の無線伝送装置の構成を示すブロック図である。
【図４】本発明の無線伝送装置の共通鍵設定処理の内容を示すフローチャートである。
【図５】従来の無線伝送装置における共通鍵設定方法を示すブロック図である。
【符号の説明】
１０、１１、１２…無線伝送装置、１３…端末、２０、２１、２２…無線伝送装置、２３…共通鍵情報、２５…ハブ、３０…アンテナ、３１…送受信回路、３２…インターフェイス回路、３３…ＣＰＵ、３４…ＲＯＭ、３５…ＲＡＭ、３６…パネル回路、３７…ＬＡＮインターフェイス回路
【図１】
0003592580.tif 000002
【図２】
0003592580.tif 000003
【図３】
0003592580.tif 000004
【図４】
0003592580.tif 000005
【図５】
0003592580.tif 000006